(57)【特許請求の範囲】
【請求項１】
商品の近傍に設けられる棚札表示器に取り付けられ、当該商品に関する広告を示す広告表示具であって、
前記棚札表示器の表示画面を露出させるコ字状開口を有し、前記商品に関する広告を示す広告表示部分を備える、広告表示具。
【請求項２】
請求項１に記載の広告表示具であって、
前記広告表示部分は、前記コ字状開口を規定する、互いに対向する第１及び第２内側側面及び当該第１及び第２内側側面を繋げる第３内側側面を有し、
前記第１及び第２内側側面には、前記棚札表示器の両側面にそれぞれ係止する第１及び第２係止片がそれぞれ設けられている、広告表示具。
【請求項３】
請求項１に記載の広告表示具であって、
前記広告表示部分は、前記コ字状開口が上側あるいは下側に開くように、前記棚札表示器に対して上下に裏返して取り付け可能である、広告表示具。
【請求項４】
請求項３に記載の広告表示具であって、
前記広告表示部分は、前記コ字状開口を規定する、互いに対向する第１及び第２内側側面及び当該第１及び第２内側側面を繋げる第３内側側面を有し、
前記第１及び第２内側側面には、前記棚札表示器の両側面にそれぞれ係止する第１及び第２係止片がそれぞれ設けられており、
前記第１及び第２係止片は、前記コ字状開口が上側あるいは下側に開く際に、左右対称の位置に配置されている、広告表示具。
【請求項５】
請求項１乃至請求項４のいずれか一つに記載の広告表示具であって、
前記広告表示部分には、前記棚札表示器に対して、電源用の電力あるいは充電用の電力を供給する電池が設けられている、広告表示具。
【請求項６】
請求項１乃至請求項４のいずれか一つに記載の広告表示具であって、
前記広告表示部分には、発光ダイオードと、当該発光ダイオードに電源を供給する電池とが設けられている、広告表示具。
【請求項７】
請求項５及び請求項６のいずれか一つに記載の広告表示具であって、
前記電池はソーラパネルである、広告表示具。
【請求項８】
請求項２に記載の広告表示具が取り付けられる棚札表示器であって、
前記棚札表示器の左右の側面には、前記広告表示具の前記第１及び第２係止片と係止する第１及び第２凹部がそれぞれ設けられている、棚札表示器。
【請求項９】
請求項４に記載の広告表示具が取り付けられる棚札表示器であって、
前記棚札表示器の左右の側面には、前記広告表示具の前記第１及び第２係止片と係止する第１及び第２凹部がそれぞれ設けられ、
前記第１及び第２凹部は、左右対称の位置に配置されている、棚札表示器。
【発明の詳細な説明】
【技術分野】
【０００１】
本発明は、商品の近傍に設けられる棚札表示器に取り付けられ、当該商品に関する広告を示す広告表示具と棚札表示器に関する。
【背景技術】
【０００２】
特許文献１〜３に記載されているように、商品の近傍に設けられ、当該商品の商品名など、当該商品を識別するための情報を表示する棚札表示器が従来から提案されている。
【先行技術文献】
【特許文献】
【０００３】
【特許文献１】特開２００５−４０３３４号公報
【特許文献２】特開２００１−１７８５９９号公報
【特許文献３】特開２００４−２１２３９号公報
【発明の概要】
【発明が解決しようとする課題】
【０００４】
上述の特許文献１，２には、商品の近傍に設けられる棚札表示器に取り付けられ、当該商品に関する広告を示す広告表示具が開示されている。特許文献１，２の広告表示具は、棚札表示器の表示画面を露出させるロ字状開口が設けられている。このように、棚札表示器の表示画面を露出させる、全周が閉じた開口を有する広告表示具を棚札表示器に取り付けた場合には、棚札表示器の全周にわたって広告表示具が存在することから、商品等が広告表示具に当たり易く、広告表示具が棚札表示器から外れてしまうことがある。
【０００５】
そこで、本発明は上記の点に鑑みて成されたものであり、広告表示具が棚札表示器から外れることを低減することが可能な技術を提供することを目的とする。
【課題を解決するための手段】
【０００６】
上記課題を解決するため、請求項１の発明は、商品の近傍に設けられる棚札表示器に取り付けられ、当該商品に関する広告を示す広告表示具であって、前記棚札表示器の表示画面を露出させるコ字状開口を有し、前記商品に関する広告を示す広告表示部分を備える。
【０００７】
また、請求項２の発明は、請求項１に記載の広告表示具であって、前記広告表示部分は、前記コ字状開口を規定する、互いに対向する第１及び第２内側側面及び当該第１及び第２内側側面を繋げる第３内側側面を有し、前記第１及び第２内側側面には、前記棚札表示器の両側面にそれぞれ係止する第１及び第２係止片がそれぞれ設けられている。
【０００８】
また、請求項３の発明は、請求項１に記載の広告表示具であって、前記広告表示部分は、前記コ字状開口が上側あるいは下側に開くように、前記棚札表示器に対して上下に裏返して取り付け可能である。
【０００９】
また、請求項４の発明は、請求項３に記載の広告表示具であって、前記広告表示部分は、前記コ字状開口を規定する、互いに対向する第１及び第２内側側面及び当該第１及び第２内側側面を繋げる第３内側側面を有し、前記第１及び第２内側側面には、前記棚札表示器の両側面にそれぞれ係止する第１及び第２係止片がそれぞれ設けられており、前記第１及び第２係止片は、前記コ字状開口が上側あるいは下側に開く際に、左右対称の位置に配置されている。
【００１０】
また、請求項５の発明は、請求項１乃至請求項４のいずれか一つに記載の広告表示具であって、前記広告表示部分には、前記棚札表示器に対して、電源用の電力あるいは充電用の電力を供給する電池が設けられている。
【００１１】
また、請求項６の発明は、請求項１乃至請求項４のいずれか一つに記載の広告表示具であって、前記広告表示部分には、発光ダイオードと、当該発光ダイオードに電源を供給する電池とが設けられている。
【００１２】
また、請求項７の発明は、請求項５及び請求項６のいずれか一つに記載の広告表示具であって、前記電池はソーラパネルである。
【００１３】
また、請求項８の発明は、請求項２に記載の広告表示具が取り付けられる棚札表示器であって、前記棚札表示器の左右の側面には、前記広告表示具の前記第１及び第２係止片とそれぞれ係止する第１及び第２凹部がそれぞれ設けられている。
【００１４】
また、請求項９の発明は、請求項４に記載の広告表示具が取り付けられる棚札表示器であって、前記棚札表示器の左右の側面には、前記広告表示具の前記第１及び第２係止片とそれぞれ係止する第１及び第２凹部がそれぞれ設けられ、前記第１及び第２凹部は、左右対称の位置に配置されている。
【００１５】
ここで、本発明において、棚札表示器とは、店舗で販売される多数の商品を相互に識別するためのものであって、商品の近傍に設けられ、当該商品を識別するための情報を可視的に表示し、かつ表示情報が可変の表示器である。また、本発明においては、棚札表示器を商品棚やワゴン等に取り付けるための取付部材が、当該棚札表示器に対して取り付けられる場合には、この取付部材も含めて棚札表示器とする。
【発明の効果】
【００１６】
請求項１乃至請求項９の発明によれば、広告表示部分には、棚札表示器の表示画面を露出させるコ字状開口が設けられているため、ロ字状開口などの全周が閉じた開口を有する広告表示具と比較して、商品等が広告表示部分に当たりにくくなる。その結果、広告表示具が棚札表示器から外れることを低減することができる。
【００１７】
特に、請求項２の発明によれば、広告表示部分の第１及び第２内側側面に設けられた第１及び第２係止片を利用して、広告表示部分を棚札表示器に取り付けることができるため、簡単な構成かつ簡単な方法で、棚札表示器に広告表示部分を取り付けることができる。
【００１８】
特に、請求項３の発明によれば、広告表示部分が、棚札表示器に対して、上下に裏返して取り付け可能であるため、広告表示部分の前後の表面を使用して広告することができる。さらに、周辺の商品の種類や商品の配置状況など、棚札表示器が取り付けられる場所の周辺状況に応じて、広告表示部分のコ字状開口が開いている向きを上向き及び下向きに変えることができる。したがって、商品等が広告表示部分に当たることを確実に防止でき、広告表示具が棚札表示器から外れることを確実に防止できる。
【００１９】
特に、請求項４の発明によれば、広告表示部分の第１及び第２内側側面に設けられた第１及び第２係止片を利用して、広告表示部分を棚札表示器に取り付けることができるため、簡単な構成かつ簡単な方法で、広告表示部分を棚札表示器に取り付けることができる。さらに、第１及び第２係止片は、左右対称の位置に配置されているため、簡単な構成かつ簡単な方法で、コ字状開口が開いている向きを上向き及び下向きに変えることができる。
【００２０】
特に、請求項５の発明によれば、広告表示具を利用して、電源用の電力あるいは充電用の電力を棚札表示器に供給することができる。
【００２１】
特に、請求項６の発明によれば、発光ダイオードを使用して広告効果を高めることができる。
【００２２】
特に、請求項８の発明によれば、棚札表示器の左右の側面に設けられた第１及び第２凹部を利用して、コ字状開口を有する広告表示具を棚札表示器に取り付けることができるため、簡単な構成かつ簡単な方法で、棚札表示器に広告表示具を取り付けることができる。
【００２３】
特に、請求項９の発明によれば、棚札表示器の左右の側面に設けられた第１及び第２凹部を利用して、コ字状開口を有する広告表示具を棚札表示器に取り付けることができるため、簡単な構成かつ簡単な方法で、棚札表示器に広告表示具を取り付けることができる。さらに、第１及び第２凹部は、左右対称の位置に配置されているため、簡単な構成かつ簡単な方法で、コ字状開口が開いている向きを上向き及び下向きに変えることができる。
【図面の簡単な説明】
【００２４】
【図１】本発明の実施の形態に係る棚札表示器が店舗内で使用されている様子を示す図である。
【図２】本発明の実施の形態に係る棚札表示器を示す正面図である。
【図３】本発明の実施の形態に係る棚札表示器を示す斜視図である。
【図４】本発明の実施の形態に係る棚札表示器を示す側面図である。
【図５】本発明の実施の形態に係る棚札表示器の表示例を示す図である。
【図６】本発明の実施の形態に係る広告表示具付き棚札表示器を示す正面図である。
【図７】本発明の実施の形態に係る広告表示具を示す正面図である。
【図８】本発明の実施の形態に係る広告表示具の断面構造を示す図である。
【図９】本発明の実施の形態に係る広告表示具付き棚札表示器を示す側面図である。
【図１０】従来の広告表示具が取り付けられた棚札表示器が商品棚に取り付けられた様子を示す図である。
【図１１】本発明の実施の形態に係る広告表示具が取り付けられた棚札表示器が商品棚に取り付けられた様子を示す図である。
【図１２】本発明の実施の形態の第１変形例に係る広告表示具付き棚札表示器を示す正面図である。
【図１３】本発明の実施の形態の第１変形例に係る広告表示具の断面構造を示す図である。
【図１４】本発明の実施の形態の第１変形例に係る広告表示具付き棚札表示器を示す側面図である。
【図１５】本発明の実施の形態の第１変形例に係る広告表示具付き棚札表示器を示す側面図である。
【図１６】本発明の実施の形態の第２変形例に係る広告表示具付き棚札表示器を示す正面図である。
【図１７】本発明の実施の形態の第２変形例に係る広告表示具付き棚札表示器を示す側面図である。
【図１８】本発明の実施の形態の第２変形例に係る広告表示具付き棚札表示器を示す側面図である。
【図１９】本発明の実施の形態に第２変形例に係る広告表示具の効果を示す図である。
【図２０】本発明の実施の形態に第２変形例に係る広告表示具の効果を示す図である。
【図２１】本発明の実施の形態の第２変形例に係る広告表示具付き棚札表示器を示す側面図である。
【図２２】本発明の実施の形態の第３変形例に係る広告表示具付き棚札表示器を示す図である。
【図２３】本発明の実施の形態の第４変形例に係る広告表示具付き棚札表示器を示す正面図である。
【図２４】本発明の実施の形態の第４変形例に係る広告表示具付き棚札表示器を示す正面図である。
【発明を実施するための形態】
【００２５】
図１は、本発明の実施の形態に係る棚札表示器１００が、スーパーマーケットやコンビニエンスストアなどの店舗で使用されている様子の一例を示す図である。図１に示されるように、棚札表示器１００は、商品３００の近傍に位置するように商品棚２００に取り付けられる。そして、棚札表示器１００は、その近傍に位置する商品３００を識別するための情報を含む、当該商品３００に関する商品情報を表示する。棚札表示器１００は、例えば、商品３００を識別するための商品名、商品３００の売価、商品３００に関する広告などを表示する。棚札表示器１００は、商品３００ごとに商品情報を管理するサーバ装置と通信することが可能となっている。棚札表示器１００には、当該サーバ装置から、当該棚札表示器１００に対応する商品３００に係る商品情報が通信装置を介して送信される。そして、棚札表示器１００は、サーバ装置から受信した商品情報を表示する。したがって、サーバ装置から棚札表示器１００に送信される商品情報が変化すると、当該棚札表示器１００の表示情報は変化することになる。
【００２６】
ここで、本発明において、棚札表示器とは、店舗で販売される多数の商品を相互に識別するためのものであって、商品の近傍に設けられ、当該商品を識別するための情報を可視的に表示し、かつ表示情報が可変の表示器である。棚札表示器は、典型的には、図１に示されるように商品棚に取り付けられるものの、必ずしも商品棚に取り付けられる必要はない。例えば、棚札表示器は、店舗内において、商品が載置されたワゴンや、商品が陳列された、冷蔵用あるいは冷凍用ショーケースに取り付けられても良い。また、本発明においては、棚札表示器を商品棚やワゴン等に取り付けるための取付部材（取付什器）が、当該棚札表示器に対して取り付けられる場合には、この取付部材も含めて棚札表示器とする。
【００２７】
図２は棚札表示器１００を示す正面図である。図３は棚札表示器１００を示す斜視図である。図４は、図２の矢視Ａから棚札表示器１００を見た際の当該棚札表示器１００を示す側面図である。図２〜４に示されるように、棚札表示器１００は、可視的に情報を表示し、かつ表示情報が可変の表示パネル１と、外部のサーバ装置と光通信を行う光通信部２と、光通信部２が搭載された制御基板３と、表示パネル１、光通信部２及び制御基板３を収納する外装ケース４とを備えている。以後、「右側」と言えば、棚札表示器１００を前面側（表示画面側）から見た際の右側を意味し、単に「左側」と言えば、棚札表示器１００を前面側から見た際の左側を意味する。
【００２８】
表示パネル１は、ドットマトリクス方式の不揮発性表示部であって、例えば電子ペーパで構成されている。電子ペーパ等の不揮発性表示部では、駆動電力を与えることなく表示内容を保持することができる。表示パネル１は、マトリクス表示を行うため、文字、記号及び図形を表示することが可能である。
【００２９】
光通信部２は、サーバ装置と例えば赤外線通信を行う。これにより、棚札表示器１００は、サーバ装置から、対応する商品に係る商品情報を受け取ることができる。光通信部２は、受信部たる受光部２０と、送信部たる発光部２１とを備えている。受光部２０は、例えばフォトダイオード及びアンプで構成されており、発光部２１は例えば発光ダイオード（ＬＥＤ）で構成されている。
【００３０】
外装ケース４は、略直方体を成しており、例えば樹脂で形成されている。外装ケース４の左右方向の側面及び上下方向の側面には、棚札表示器１００の周縁に沿って溝４０が形成されている。この溝４０は、棚札表示器１００を商品棚等に固定するために利用される。例えば、棚札表示器１００を商品棚に固定取り付けするための取付部材が、溝４０を利用して棚札表示器１００に取り付けられる。
【００３１】
外装ケース４の前面には、表示用透明部４００及び第１通信用透明部４０１が設けられている。表示用透明部４００は、外装ケース４の前面の大部分を占めており、当該前面において、周端部を除く部分に形成されている。表示パネル１の表示画面１０は、この表示用透明部４００を通じて、外装ケース４の前面側から視認可能となっている。以後、表示パネル１の表示画面１０を「棚札表示器１００の表示画面１０」と呼ぶことがある。
【００３２】
第１通信用透明部４０１は、外装ケース４の前面の下側端部に形成されている。光通信部２の受光部２０及び発光部２１は、第１通信用透明部４０１を通じて、外装ケース４の前面側から視認可能となっている。また、外装ケース４の下側側面には、図３に示されるように、第１通信用透明部４０１と繋がった第２通信用透明部４０２が設けられている。光通信部２の受光部２０及び発光部２１は、第２通信用透明部４０２を通じて、外装ケース４の下側の側面側からも視認可能となっている。
【００３３】
また、外装ケース４の左右方向の両側面のそれぞれには、後述する広告表示具を棚札表示器１００に取り付けるための取付凹部４１が設けられている。外装ケース４の左右方向の両側面の取付凹部４１は、左右対称の位置に配置されており、それぞれ溝４０と連通している。各取付凹部４１は、溝４０よりも棚札表示器１００の背面側に位置している。また、外装ケース４の左右方向の両側面の取付凹部４１のそれぞれは、自身が設けられている側面の上端及び下端から等距離の位置に配置されている。
【００３４】
なお、制御基板３には、光通信部２以外にも、表示パネル１及び光通信部２を制御する制御部（図示せず）が搭載されている。この制御部は、ＣＰＵなどで構成されている。
【００３５】
図５は棚札表示器１００の表示例を示す図である。図５に示されるように、棚札表示器１００の表示画面１０には、当該棚札表示器１００に対応する商品に関する商品情報が表示される。例えば、表示画面１０には、商品名１ａ、商品コード１ｂ、売価１ｃ、内容量１ｄ、商品に関する広告１ｅが表示される。商品名１ａ及び商品コード１ｂは、商品を識別するための情報であって、消費者や店舗の店員は、棚札表示器１００に表示される商品名１ａや商品コード１ｂによって、当該棚札表示器１００に対応付けられている商品を特定することができる。
【００３６】
本実施の形態に係る棚札表示器１００には、当該棚札表示器１００に対応付けられている商品に関する広告５０１を示す広告表示具５００が取り付けられる。図６は広告表示具５００が取り付けられた棚札表示器１００を示す平面図である。図７は広告表示具５００を示す平面図である。図８は図７の矢視Ｂ−Ｂにおける広告表示具５００の断面構造を示す図である。図９は、図６に示される、広告表示具５００が取り付けられた棚札表示器１００を右側側面から見た際の当該棚札表示器１００の構造を拡大して示す側面図である。
【００３７】
広告表示具５００は、例えば、プラスチックなどの弾性変形可能な材料で形成されている。広告表示具５００は、広告５０１を示す広告表示部分５１０と、当該広告表示部分５１０を棚札表示器１００に取り付けるための２つの係止片５２０とで構成されている。各係止片５２０は広告表示部分５１０に一体成形されている。広告表示部分５１０及び係止片５２０は薄板状を成している。
【００３８】
広告表示部分５１０には、棚札表示器１００の表示画面１０を正面視において露出させるコ字状開口５１１が設けられている。図６に示されるように、広告表示具５００は、コ字状開口５１１が下側に開くように、棚札表示器１００に取り付けられる。
【００３９】
広告表示部分５１０は、コ字状開口５１１を規定する、左右方向の第１内側側面５１２及び第２内側側面５１３と上方の第３内側側面５１４とを有している。第１内側側面５１２及び第２内側側面５１３は互いに対向しており、第３内側側面５１４は、第１内側側面５１２と第２内側側面５１３とを繋げている。
【００４０】
また、広告表示部分５１０は、広告５０１が示された第１主面５１０ａと、当該第１主面５１０ａとは反対側に位置する、広告が示されていない第２主面５１０ｂとを有している。広告表示部分５１０は、広告５０１が示された第１主面５１０ａが棚札表示器１００の表示画面１０側を向くように棚札表示器１００に取り付けられる。
【００４１】
２つの係止片５２０は、第１内側側面５１２及び第２内側側面５１３にそれぞれ設けられている。一方の係止片５２０は、広告表示具５００を第１主面５１０ａ側から見た際にコ字状開口５１１内に突出するように、第１内側側面５１２から、広告表示具５００の第２主面５１０ｂ側に向かって斜め方向に延びている（図７，８参照）。他方の係止片５２０は、広告表示具５００を第１主面５１０ａ側から見た際にコ字状開口５１１内に突出するように、第２内側側面５１３から、広告表示具５００の第２主面５１０ｂ側に向かって斜め方向に延びている。広告表示具５００の姿勢が、図６，７に示されるようにコ字状開口５１１が下側に開くような姿勢の場合には、２つの係止片５２０は左右対称の位置に配置される。第１内側側面５１２に設けられた係止片５２０は、棚札表示器１００の左側側面に設けられた取付凹部４１に係止し、第２内側側面５１３に設けられた係止片５２０は、棚札表示器１００の右側側面に設けられた取付凹部４１に係止する（図９参照）。このように、２つの係止片５２０を棚札表示器１００の２つの取付凹部４１に係止するだけで、広告表示部分５１０を棚札表示器１００に取り付けることができる。
【００４２】
なお、広告表示具５００を棚札表示器１００に取り付ける際には、広告表示具５００の左右方向の両端部を外側に少し引っ張りながら、広告表示具５００を棚札表示器１００の前面側から棚札表示器１００に近づけるようにして、コ字状開口５１１が棚札表示器１００の側面を取り囲むように広告表示具５００を棚札表示器１００を取り付けても良い。
【００４３】
また、棚札表示器１００の上方から、広告表示具５００の２つの係止片５２０を、棚札表示器１００の左右方向の両側面の溝４０内に挿入し、２つの係止片５２０を当該両側面の溝４０内を下方に移動させることによって、当該両側面の溝４０とそれぞれ連通する２つの取付凹部４１に２つの係止片５２０をそれぞれ係止させても良い。
【００４４】
以上のように、本実施の形態に係る広告表示具５００では、広告表示部分５１０には、棚札表示器１００の表示画面１０を露出させるコ字状開口５１１が設けられている。
【００４５】
これに対して、上述の特許文献１及び２に記載されているように、ロ字状開口などの全周が閉じた開口を有する広告表示具を使用した場合には、商品等が広告表示具に当たり易くなる。図１０は、商品が広告表示具に当たる様子を示す図である。図１０の棚札表示器１００には、その表示画面１０を露出する、全周が閉じた開口を有する広告表示具６００が取り付けられている。また、棚札表示器１００は取付部材６５０によって商品棚２００のフレーム２１１に取り付けられている。
【００４６】
図１０に示されるように、棚札表示器１００が取り付けられているフレーム２１１よりも下段のフレーム２１１に載置されている商品３００を消費者や店舗の店員が取ろうとした場合には、その商品３００が広告表示具６００の下端部に当たる場合がある。その結果、広告表示具６００が棚札表示器１００から外れることがある。
【００４７】
本実施の形態では、広告表示具５００にはコ字状開口５１１が設けられているため、図１１に示されるように、下段のフレーム２１１に載置されている商品３００を消費者や店舗の店員が取ろうとした際に、その商品３００が広告表示具５００に当たることを防止することができる。その結果、広告表示具５００が棚札表示器１００から外れることを低減することができる。
【００４８】
また本実施の形態では、広告表示部分５１０の第１内側側面５１２及び第２内側側面５１３に設けられた係止片５２０と、棚札表示器１００の左右の側面に設けられた２つの取付凹部４１とを利用して、広告表示部分５１０を棚札表示器１００に取り付けることができるため、簡単な構成かつ簡単な方法で、棚札表示器１００に広告表示部分５１０を取り付けることができる。
【００４９】
＜第１変形例＞
上述の例では、広告表示部分５１０の第２主面５１０ｂには広告が示されていなかったが、第２主面５１０ｂに広告を示し、広告表示部分５１０を左右に裏返して棚札表示器１００に取り付けることができるようにしても良い。
【００５０】
図１２は、図６の広告表示具５００の第２主面５１０ｂに広告５０２を示し、第２主面５１０ｂが棚札表示器１００の表示画面１０側を向くように当該広告表示具５００を棚札表示器１００に取り付けた様子を示す図である。図１３は、本変形例に係る広告表示具５００についての、上述の図７の矢視Ｂ−Ｂに相当する位置での断面構造を示す図である。図１４は、図１２に示される、広告表示具５００付き棚札表示器１００を、右側側面から見た際の当該棚札表示器１００を示す側面図である。図１５は、第１主面５１０ａが棚札表示器１００の表示画面１０側を向くように本変形例に係る広告表示具５００が取り付けられた棚札表示器１００を、右側側面から見た際の当該棚札表示器１００を示す側面図である。
【００５１】
図１２と上述の図６に示されるように、広告表示部分５１０においては、第１主面５１０ａに示される広告５０１と、第２主面５１０ｂに示される広告５０２とが、互いに異なったものとなっている。
【００５２】
また、本変形例に係る広告表示具５００の各係止片５２０は、第１係止部５２１及び第２係止部５２２で構成されている。広告表示具５００の２つの係止片５２０のうち一方の係止片５２０では、第１係止部５２１が、広告表示具５００を第１主面５１０ａ側から見た際にコ字状開口５１１内に突出するように、第１内側側面５１２から、広告表示具５００の第２主面５１０ｂ側に向かって斜め方向に延びている。そして、当該一方の係止片５２０では、第２係止部５２２が、第１係止部５２１の先端から第１主面５１０ａ側に向かって延びており、その先端が第１主面５１０ａよりも（コ字状開口５１１よりも）外側に突出している。
【００５３】
広告表示具５００の２つの係止片５２０のうち他方の係止片５２０では、第１係止部５２１が、広告表示具５００を第１主面５１０ａ側から見た際にコ字状開口５１１内に突出するように、第２内側側面５１３から、広告表示具５００の第２主面５１０ｂ側に向かって斜め方向に延びている。そして、当該他方の係止片５２０では、第２係止部５２２が、第１係止部５２１の先端から第１主面５１０ａ側に向かって延びており、その先端が第１主面５１０ａよりも（コ字状開口５１１よりも）外側に突出している。
【００５４】
このような構造を有する広告表示具５００が、第１主面５１０ａが棚札表示器１００の表示画面１０側を向くように棚札表示器１００に取り付けられる際には、第１内側側面５１２に設けられた係止片５２０において、第１係止部５２１と第２係止部５２２とで形成される屈曲部５２３（図１３参照）が、棚札表示器１００の左側側面の取付凹部４１に係止するとともに、第２内側側面５１３に設けられた係止片５２０において、第１係止部５２１と第２係止部５２２とで形成される屈曲部５２３が、棚札表示器１００の右側側面の取付凹部４１に係止する（図１５参照）。
【００５５】
これに対して、第２主面５１０ｂが棚札表示器１００の表示画面１０側を向くように広告表示具５００が棚札表示器１００に取り付けられる際には、第２内側側面５１３に設けられた係止片５２０の第２係止部５２２が、棚札表示器１００の左側側面の取付凹部４１に係止するとともに、第１内側側面５１２に設けられた係止片５２０の第２係止部５２２が、棚札表示器１００の右側側面の取付凹部４１に係止する（図１４参照）。
【００５６】
このように、本変形例に係る広告表示具５００では、棚札表示器１００に対して、広告表示部分５１０を左右に裏返して取り付けることができるため、広告表示部分５１０の第１主面５１０ａ及び第２主面５１０ｂの両方を使用して広告を行うことができる。よって、１つの広告表示具５００を有効利用することができる。
【００５７】
また、広告表示具５００では、広告表示部分５１０を棚札表示器１００に取り付けるための２つの係止片５２０が左右対称の位置に配置されている。そして、棚札表示器１００では、当該２つの係止片５２０と係止する２つの取付凹部４１が左右対称の位置に配置されている。したがって、広告表示部分５１０を単に左右に裏返すだけで、第１主面５１０ａあるいは第２主面５１０ｂが表示画面１０側に向くように広告表示部分５１０を棚札表示器１００に取り付けることができる。よって、簡単な構成かつ簡単な方法で、第１主面５１０ａを表示画面１０側に向けるのか、第２主面５１０ｂを表示画面１０側に向けるのかを切り替えることができる。
【００５８】
＜第２変形例＞
図６の例では、広告表示部分５１０のコ字状開口５１１が下側に開くように広告表示部分５１０を棚札表示器１００に取り付けていたが、広告表示部分５１０の第２主面５１０ｂにも広告を示して、コ字状開口５１１が上側あるいは下側に開くように、棚札表示器１００に対して、広告表示部分５１０を上下に裏返して取り付けることができるようにしても良い。
【００５９】
図１６は、図６の広告表示具５００の第２主面５１０ｂに広告５０５を示し、第２主面５１０ｂが棚札表示器１００の表示画面１０側を向くとともにコ字状開口５１１が上側に開くように広告表示具５００を棚札表示器１００に取り付けた様子を示す図である。
【００６０】
本変形例に係る広告表示具５００における広告表示部分５１０の第２主面５１０ｂには、広告５０５が文字で示されている。そして、広告５０５に係る文字は、第２主面５１０ｂが表示画面１０側を向くとともにコ字状開口５１１が上側に開くように広告表示具５００が棚札表示器１００に取り付けた際に、正しく読めるような姿勢で示されている。
【００６１】
このように、コ字状開口５１１が上側あるいは下側に開くように、棚札表示器１００に対して、広告表示部分５１０を上下に裏返して取り付けるためには、図１７，１８に示されるように、棚札表示器１００の左右方向の両側面のそれぞれに、取付凹部４１とは別の取付凹部４２を設ける必要がある。図１７は、図１６に示される棚札表示器１００を右側側面から見た際の当該棚札表示器１００を示している。また図１８は、第１主面５１０ａが表示画面１０側を向くとともにコ字状開口５１１が下側に開くように広告表示具５００が取り付けられた棚札表示器１００を右側側面から見た際の当該棚札表示器１００を示す図である。
【００６２】
図１７，１８に示されるように、棚札表示器１００の左右方向の両側面のそれぞれには、取付凹部４２が、溝４０を介して取付凹部４１と対向するように当該溝４０と連通して形成されている。第２主面５１０ｂが棚札表示器１００の表示画面１０側を向くとともにコ字状開口５１１が上側に開くように広告表示具５００が棚札表示器１００に取り付けられる際には、第１内側側面５１２の係止片５２０は、棚札表示器１００の左側側面の取付凹部４２に係止し、第２内側側面５１３の係止片５２０は、棚札表示器１００の右側側面の取付凹部４２に係止する（図１７参照）。
【００６３】
このように、本変形例に係る広告表示具５００では、広告表示部分５１０が、棚札表示器１００に対して、上下に裏返して取り付け可能であるため、広告表示部分５１０の第１主面５１０ａ及び第２主面５１０ｂを使用して広告することができる。
【００６４】
さらに、本変形例に係る広告表示具５００では、周辺の商品の種類や当該商品の配置状況など、周辺の状況に応じて広告表示部分５１０のコ字状開口５１１が開いている向きを上向き及び下向きに変えることができる。したがって、商品等が広告表示部分５１０に当たることを確実に防止でき、広告表示具５００が棚札表示器１００から外れることを確実に防止できる。
【００６５】
図１９，２０は本変形例に係る広告表示具５００の効果の一例を説明するための図である。図１９に示されるように、コ字状開口５１１が下側に開くように広告表示具５００が取り付けられた棚札表示器１００を、背の高い商品３００が載置されたフレーム２１１に取り付けた場合には、当該商品３００を消費者や店舗の店員が取ろうとした際には、その商品３００が広告表示具５００の上端部に当たる可能性が高くなる。その結果、広告表示具５００が棚札表示器１００から外れる可能性が高くなる。
【００６６】
また、フレーム２１１の奥の方にある商品３００を消費者や店員が取ろうとした際には、消費者や店員の腕や手が広告表示具５００の上端部に当たることがあり、その結果、広告表示具５００が棚札表示器１００から外れることがある。
【００６７】
このように、商品３００等が広告表示部分５１０の上端部に当たり易い場合には、図２０に示されるように、広告表示部分５１０を上下に裏返して、コ字状開口５１１が上側に開くように広告表示具５００を棚札表示器１００に取り付ける。これにより、商品３００等が広告表示部分５１０に当たることを確実に防止でき、広告表示具５００が棚札表示器１００から外れることを確実に防止できる。
【００６８】
また、広告表示具５００では、広告表示部分５１０を棚札表示器１００に取り付けるための２つの係止片５２０が左右対称の位置に配置されている。そして、棚札表示器１００では、２つの取付凹部４１が左右対称の位置に配置されているとともに、２つの取付凹部４２が左右対称の位置に配置されている。したがって、広告表示部分５１０を単に上下に裏返すだけで、コ字状開口５１１が開いている向きを上向き及び下向きに変えることができる。よって、簡単な構成かつ簡単な方法で、コ字状開口５１１が開いている向きを上向き及び下向きに変えることができる。
【００６９】
なお、図１６の例では、広告表示部分５１０の第２主面５１０ｂに対して、第１主面５１０ａの広告５０１とは別の広告５０５を示したが、同じ広告を示しても良い。この場において、広告を文字で示す際には、第２主面５１０ｂの広告に係る文字は、第１主面５１０ａの広告に係る文字を上下左右反対にしたものとなる。
【００７０】
また、図１３に示す係止片５２０が第１内側側面５１２及び第２内側側面５１３に設けられた広告表示部分５１０を、棚札表示器１００に対して、上下に裏返して取り付け可能とする場合には、棚札表示器１００の左右方向の両側面には取付凹部４２を形成する必要はない。
【００７１】
図２１は、図１３に示す係止片５２０が第１内側側面５１２及び第２内側側面５１３に設けられた広告表示部分５１０が、第２主面５１０ｂが棚札表示器１００の表示画面１０側を向くとともにコ字状開口５１１が上側に開くように取り付けられた棚札表示器１００を右側側面から見た際の当該棚札表示器１００を示す側面図である。図２１に示されるように、図１３に示す係止片５２０を有する広告表示部分５１０が、第２主面５１０ｂが棚札表示器１００の表示画面１０側を向くとともにコ字状開口５１１が上側に開くように棚札表示器１００に取り付けられる際には、第１内側側面５１２の係止片５２０の第２係止部５２２が棚札表示器１００の左側側面の取付凹部４１に係止し、第２内側側面５１３の係止片５２０の第２係止部５２２が棚札表示器１００の右側側面の取付凹部４１に係止する。
【００７２】
＜第３変形例＞
上述の実施の形態及び第１及び第２変形例においては、広告表示具５００は棚札表示器１００に取り付けられていたが、上述の図１１等に示されるように、棚札表示器１００に取付部材６５０が取り付けられる際には、図２２に示されるように、当該取付部材６５０に広告表示具５００を取り付けてもよい。図２２に示されるように、取付部材６５０の左右の側面に対して、広告表示具５００の２つの係止片５２０とそれぞれ係止する２つの取付凹部６５１をそれぞれ設けることによって、広告表示具５００を取付部材６５０に簡単に取り付けることができる。上述のように、本発明に係る棚札表示器には、当該棚札表示器を商品棚等に取り付けるための取付部材を含むため、本発明において、棚札表示器に広告表示具を取り付けることには、上述の実施の形態及び第１及び第２変形例のように棚札表示器１００に広告表示具５００を取り付ける場合と、図２２に示されるように棚札表示器１００に取り付けられた取付部材６５０に広告表示具５００を取り付ける場合との両方が含まれることになる。
【００７３】
＜第４変形例＞
上述の実施の形態及び第１〜３変形例においては、広告表示具５００の広告表示部分５１０に対して電池を設けても良い。図２３は、図６の例において、広告表示部分５１０の上端部を上下方向に広くし、広告表示部分５１０の第１主面５１０ａにおいて広告５０１の上方に電池７００を搭載した様子を示す図である。図２３に示される例では、電池７００はソーラパネルである。
【００７４】
この電池７００の利用方法については様々考えられる。例えば、棚札表示器１００に対して、電池７００から電源用の電力を供給しても良い。これにより、広告表示具５００を利用して、電源用の電力を棚札表示器１００に供給することができる。なお、この場合には、棚札表示器１００内に電池を設ける必要が無くなる。
【００７５】
また、棚札表示器１００内の電池が二次電池である場合に、広告表示具５００の電池７００から、当該二次電池に対して充電用の電力を供給しても良い。これにより、広告表示具５００を利用して、充電用の電力を棚札表示器１００に供給できる。
【００７６】
また、図２４に示されるように、広告表示部分５１０の第１主面５１０ａに発光ダイオード７１０（ＬＥＤ）を設けて、当該発光ダイオード７１０の電源を電池７００から当該発光ダイオード７１０に供給しても良い。これにより、発光ダイオード７１０を利用して広告効果を高めることができる。
【００７７】
なお、広告表示具５００の係止片５２０と棚札表示器１００の取付凹部４１とに対して、電池７００と棚札表示器１００とを電気的に接続するための接続電極を設けて、これらの接続電極を互いに接触させることによって、電池７００から棚札表示器１００に対して電力を供給できるようにしても良い。これより、広告表示具５００の係止片５２０を棚札表示器１００の取付凹部４１に係止させるだけで、電池７００から棚札表示器１００に対して電源用の電力や充電用の電力を供給することができる。なお、取付凹部４２や取付凹部６５１が利用される場合には、それらに接続電極が設けられる。
【符号の説明】
【００７８】
１０  表示画面
４１，４２，６５１  取付凹部
１００  棚札表示器
３００  商品
５００  広告表示具
５０１，５０２，５０５  広告
５１０  広告表示部分
５１１  コ字状開口
５１２  第１内側側面
５１３  第２内側側面
５１４  第３内側側面
５２０  係止片
６５０  取付部材
７００  電池
７１０  発光ダイオード
【図１】
0005421162.tif 000002
【図２】
0005421162.tif 000003
【図３】
0005421162.tif 000004
【図４】
0005421162.tif 000005
【図５】
0005421162.tif 000006
【図６】
0005421162.tif 000007
【図７】
0005421162.tif 000008
【図８】
0005421162.tif 000009
【図９】
0005421162.tif 000010
【図１０】
0005421162.tif 000011
【図１１】
0005421162.tif 000012
【図１２】
0005421162.tif 000013
【図１３】
0005421162.tif 000014
【図１４】
0005421162.tif 000015
【図１５】
0005421162.tif 000016
【図１６】
0005421162.tif 000017
【図１７】
0005421162.tif 000018
【図１８】
0005421162.tif 000019
【図１９】
0005421162.tif 000020
【図２０】
0005421162.tif 000021
【図２１】
0005421162.tif 000022
【図２２】
0005421162.tif 000023
【図２３】
0005421162.tif 000024
【図２４】
0005421162.tif 000025